(57)【要約】【課題】衛星放送受信用及び地上波放送受信用の地域設定のずれにより起こる不具合を解消し、また、ユーザの転居等により居住地域が変更されても、新たな居住地域に対応した地域設定及びチャンネル設定が適切に行われるような衛星/地上波共用テレビジョン受信機を提供する。【解決手段】衛星波放送の地域設定及び地上波放送のチャンネル設定のうちいずれか一方の変更に伴って、ユーザに他方の設定変更も促すような機能を備えた衛星/地上波共用テレビジョン受信機。【選択図】  図１
2004201021.tif 000002
【特許請求の範囲】
【請求項１】
衛星波放送の地域設定を行う衛星波放送地域設定手段と、
地上波放送のチャンネル設定を行う地上波放送チャンネル設定手段と、
前記地域設定及びチャンネル設定に関する情報を記憶する記憶手段と、
前記記憶手段に記憶された情報に基づいて、前記地域設定及びチャンネル設定のうちいずれか一方の変更を検出すると、他方の設定も変更するように促すよう制御する制御手段と、を備えた衛星/地上波共用テレビジョン受信機。
【請求項２】
衛星波放送の地域設定を行う衛星波放送地域設定手段と、
地上波放送のチャンネル設定を行う地上波放送チャンネル設定手段と、
前記地域設定及びチャンネル設定に関する情報を記憶する記憶手段と、
前記記憶手段に記憶された情報に基づいて、前記地域設定及びチャンネル設定のうちいずれか一方の変更を検出すると、他方の設定を変更することができる設定変更画面を表示するよう制御する制御手段と、を備えた衛星/地上波共用テレビジョン受信機。
【請求項３】
前記制御手段は、さらに、前記地域設定又はチャンネル設定が変更されたときに、変更前の前記地域設定又はチャンネル設定に関する情報を前記記憶手段から削除するよう制御することを特徴とする請求項１又は２に記載の衛星/地上波共用テレビジョン受信機。
【請求項４】
前記制御手段は、さらに、前記地域設定又はチャンネル設定が変更されたときに、変更前の前記地域設定又はチャンネル設定に関する情報を前記記憶手段から削除するよう促す画面を表示するよう制御することを特徴とする請求項３に記載の衛星/地上波共用テレビジョン受信機。
【請求項５】
前記制御手段は、さらに、前記地域設定又はチャンネル設定が変更されたときに、変更前の前記地域設定又はチャンネル設定に関する情報を前記記憶手段から自動的に削除するよう制御することを特徴とする請求項３に記載の衛星/地上波共用テレビジョン受信機。
【請求項６】
前記制御手段は、さらに、前記記憶手段に記憶されている前記地域設定又はチャンネル設定が所定の容量を越えたときに、変更前の前記地域設定又はチャンネル設定に関する情報を前記記憶手段から削除するよう制御することを特徴とする請求項３に記載の衛星/地上波共用テレビジョン受信機。
【請求項７】
前記地域設定及びチャンネル設定を自動で行う自動設定手段をさらに備えていることを特徴とする請求項１から６のいずれか１項に記載の衛星/地上波共用テレビジョン受信機。
【請求項８】
前記自動設定手段は、現在受信可能な地上波放送の放送電波をサーチすることにより、前記チャンネル設定を自動で行うことを特徴とする請求項７に記載の衛星/地上波共用テレビジョン受信機。
【請求項９】
前記自動設定手段は、地上波放送又は衛星波放送の放送信号に含まれる情報に基づいて、前記チャンネル設定又は前記地域設定を行うことを特徴とする請求項７に記載の衛星/地上波共用テレビジョン受信機。
【請求項１０】
地上波アナログ放送、地上波デジタル放送及び衛星デジタル放送のうち少なくとも1つを受信可能であることを特徴とする請求項１から９のいずれか１項に記載の衛星/地上波共用テレビジョン受信機。
【請求項１１】
衛星/地上波共用テレビジョン受信機において、衛星波放送の地域設定又は地上波放送のチャンネル設定を行う方法であって、
ユーザに前記地域設定又は前記チャンネル設定のうちいずれか一方の入力を促すステップと、
前記入力された地域設定又は前記チャンネル設定が、現在の設定を変更するものであるかどうかを判断するステップと、
前記入力された地域設定又は前記チャンネル設定が現在の設定を変更するものである場合には、前記地域設定又は前記チャンネル設定のうち他方の設定を促すステップと、を含んでなる方法。
【請求項１２】
衛星/地上波共用テレビジョン受信機において、衛星波放送の地域設定又は地上波放送のチャンネル設定を行う方法であって、
ユーザに前記地域設定又は前記チャンネル設定のうちいずれか一方の入力を促すステップと、
前記入力された地域設定又は前記チャンネル設定が、現在の設定を変更するものであるかどうかを判断するステップと、
前記入力された地域設定又は前記チャンネル設定が現在の設定を変更するものである場合には、前記地域設定又は前記チャンネル設定のうち他方の設定を行うための設定画面を表示し、ユーザの入力を促すステップと、を含んでなる方法。
【請求項１３】
前記地域設定又は前記チャンネル設定が変更された場合には、前記衛星/地上波共用テレビジョン受信機に記憶されている変更前の設定情報を削除するステップをさらに含んでいることを特徴とする請求項１１又は１２に記載の方法。
【請求項１４】
前記地域設定又は前記チャンネル設定が変更された場合には、前記衛星/地上波共用テレビジョン受信機に記憶されている変更前の設定情報を削除するかどうかユーザに選択させるステップをさらに含んでいることを特徴とする請求項１１又は１２に記載の方法。
【請求項１５】
衛星/地上波共用テレビジョン受信機において、衛星波放送の地域設定又は地上波放送のチャンネル設定を行うためのプログラムであって、
ユーザに前記地域設定又は前記チャンネル設定のうちいずれか一方の入力を促すステップと、
前記入力された地域設定又は前記チャンネル設定が、現在の設定を変更するものであるかどうかを判断するステップと、
前記入力された地域設定又は前記チャンネル設定が現在の設定を変更するものである場合には、前記地域設定又は前記チャンネル設定のうち他方の設定を促すステップと、を含んでいることを特徴とするプログラム。
【発明の詳細な説明】
【０００１】
【発明の属する技術分野】
本発明は、衛星放送及び地上波（アナログ及びデジタルを含む）放送の両方を受信可能なテレビジョン受信機に関し、特に、受信地域設定機能を備えた衛星/地上波共用テレビジョン受信機に関するものである。
【０００２】
【従来の技術】
現在、広く提供利用されている地上波アナログ放送は、各地域の電波塔から一定範囲内の地域に対して放送電波を送信するものである。放送内容及び周波数は各地域ごとに異なっているので、ユーザは、居住している地域の放送電波を受信するよう地上波アナログ放送のテレビジョン受信機を設定する必要がある。この設定作業は、ユーザが受信周波数をチューニングすることにより行うこともできるが、テレビジョン受信機の自動チャンネル設定機能を利用するのが一般的である。
【０００３】
自動チャンネル設定機能を備えたテレビジョン受信機は、全国各地域の放送チャンネルの設定を予めメモリに記憶しており、ユーザが居住地域を番号などにより指定すると、自動的にその地域で受信可能なチャンネルが設定されるようになっている。
【０００４】
図８は、このような自動チャンネル設定機能を使用するための設定画面の表示例を示す図である。図８に示す設定画面において、ユーザは、例えば、視聴地域としてリスト表示された各地域名から選択することにより、その地域に対応したチャンネル設定が自動で行われるようになっている。
【０００５】
自動チャンネル設定機能を備えたテレビジョン受信機は、上記の他にも、受信電波を全周波数帯にわたってサーチして、現在受信可能なチャンネルを全て検出し、チャンネルパターンに基づいて受信地域を判別する機能を備えているものもある。
【０００６】
あるいは、データ放送や文字多重放送などを受信可能である場合には、その放送波に含まれる放送局コードなどの情報に基づいて、受信地域を判別し、チャンネル設定をする機能を備えたテレビジョン受信機もある。
【０００７】
例えば、特許文献１に記載の発明では、受信可能なチャンネルのチャンネルパターンから判別される受信地域コードと、データ放送や文字多重放送などの放送波に付随して受信される放送局コードから判別される受信地域コードとを比較して、一致する受信地域コードに対応する地域別放送チャンネルデータに基づいて、チャンネル設定を行うことを特徴としている。
【０００８】
また、今後サービスの提供開始が予定されている地上波デジタル放送については、全国的な周波数配置が決定していないため、各地域で受信可能な周波数及び放送チャンネルをテーブルとしてテレビジョン受信機に予め記憶させておくことはできない。このため、サービス開始当初は、テレビジョン受信機が全周波数帯にわたって受信可能な放送チャンネルをサーチし、受信可能と判別された放送チャンネルのチャンネルパターンに基づいて、その居住地域での受信チャンネル設定としてテレビジョン受信機に記憶するような機能を内蔵することが考えられている。
【０００９】
図９は、地上波デジタル放送のテレビジョン受信機において想定されている受信チャンネル設定機能の設定画面の表示例を示す図である。図９に示す設定画面において、ユーザが現在の居住地域をリストから選択した後、サーチの操作を行うと、テレビジョン受信機は現在受信可能な放送チャンネルをサーチし、その結果を上記選択された地域の受信チャンネル設定として設定する。ユーザは、次回以降、ここで受信チャンネルとして設定されたチャンネルの中から選局して視聴することが可能となる。
【００１０】
一方、衛星デジタル放送では、テレビジョン受信機において、ユーザが地域設定を行うようになっている。一般的に、衛星デジタル放送のデータ放送や緊急警報放送は、受信地域ごとに異なる放送内容を含んでおり、テレビジョン受信機側において、ユーザが設定した地域に該当する内容が表示されるようになっている。例えば、受信地域を東京都と設定している場合には、ユーザが天気予報のデータ放送を選局すると、東京都の天気予報が自動的にあるいは優先的に表示されるようになっている。
【００１１】
図１０は、上記のような従来の衛星デジタル放送テレビジョン受信機において、地域設定を行うための設定画面の表示例を示す図である。図１０に示す画面において、ユーザは、現在居住している地域を視聴地域のリストの中から選択するか、あるいは郵便番号を入力することにより、地域設定を行うことができる。これにより、テレビジョン受信機は、衛星デジタル放送のデータ放送や緊急警報放送に含まれる信号から設定された地域に対応するものを選択して表示することができる。
【００１２】
このような従来の衛星デジタル放送テレビジョン受信機の例として特許文献２に記載された発明がある。特許文献２の発明は、デジタル放送選択受信装置及びその方法であって、テレビジョン放送信号の送信時に重畳されたデジタルコードを検出し、このデジタルコードを予めテレビジョン受信機に記憶してある視聴者固有のコードと比較して、テレビジョン放送信号の中から所望の信号を選択受信することを特徴としている。
【００１３】
【特許文献１】
特開2002-101361号公報。
【特許文献２】
特開2002-57996号公報。
【００１４】
【発明が解決しようとする課題】
上述のように、地上波放送テレビジョン受信機における地域別チャンネル設定機能は、各地域において現在受信可能な放送チャンネルのチャンネルパターンを検出して設定しておくことにより、所定の放送チャンネルをいつでも視聴することができるようにすることを目的としている。
【００１５】
これに対して、衛星デジタル放送では、受信する放送電波自体は全国どこでも同じであるが、データ放送等は地域ごとに異なる放送内容を含んでいる場合がある。この場合に、テレビジョン受信機は、地域設定機能により予め設定されているユーザの居住地域に対応した放送内容を放送電波から取得することができるようになっている。
【００１６】
上記のように、地上波放送テレビジョン受信機における地域別チャンネル設定機能と、衛星デジタル放送テレビジョン受信機における地域設定機能とでは、設定方法は同様であるものの、目的とする機能は異なっている。このため、衛星/地上波共用テレビジョン受信機においては、これらはそれぞれ独立した機能として備えられており、一方の設定が他方に影響することはない。
【００１７】
例えば、転居等で居住地域が移動した場合、以前の居住地域に対応したチャンネル設定では、地上波放送を受信することができないため、必然的に、地域別チャンネル設定機能により受信チャンネルを再設定しなければならない。あるいは、テレビジョン受信機において、自動的にチャンネルサーチ及び地域設定が行われることになる。
【００１８】
ところが、衛星放送の受信にあたっては、アンテナを衛星に向けて設置するだけで衛星放送を受信することが可能となるため、衛星放送を視聴することだけに着目すれば地域設定をする必要はない。すると、例えば、地上波放送ではチャンネル設定により大阪の放送を受信しているにも関わらず、衛星デジタル放送における地域設定は東京のままであるというような状況が生じてしまう。
【００１９】
衛星/地上波共用テレビジョン受信機において、衛星デジタル放送における地域設定と実際の居住地域の設定との間にこのようなずれがあると、例えば、衛星デジタル放送のデータ放送による天気予報を視聴すると、ユーザは大阪に居住しているにもかかわらず、東京の天気予報が表示されてしまうというサービス提供上の不具合が発生する。
【００２０】
そこで、衛星/地上波共用テレビジョン受信機では、衛星放送受信用及び地上波放送受信用の地域設定を統一することも考えられている。しかしながら、各地上波放送の受信可能地域は、互いにオーバーラップしていることが多く、ユーザが県境に居住しているような場合には、複数の県域の放送を受信している場合が少なくない。
【００２１】
例えば、徳島に居住するユーザが、大阪を放送対象とする放送局からの放送を受信するようチャンネル設定を行っていることもあり得る。このような状況を考えると、衛星放送受信用及び地上波放送受信用の地域設定を統一することは、ユーザの受信チャンネル選択の自由を制限し、利便性を損なうことになるおそれがある。
【００２２】
さらに、地上波デジタル放送でもデータ放送サービスが予定されている。一例としては、放送局が自局の情報をデータ放送コンテンツに含めて送信し、テレビジョン受信機の不揮発性メモリにこれを記憶させることにより、ユーザが当該放送局の情報を随時参照することが可能となるような機能が想定されている。
【００２３】
ここで、ユーザが転居した場合に、テレビジョン受信機の不揮発性メモリにおいて転居前の居住地域に対応した情報を消去しないまま残しておくと、不揮発性メモリの容量を超過してしまい、転居後の居住地域に対応した情報が記憶できないという問題が発生するおそれがある。
【００２４】
したがって、本発明は、このような実情に鑑みてなされたものであり、衛星放送受信用及び地上波放送受信用の地域設定のずれにより起こる不具合を解消し、また、ユーザの転居等により居住地域が変更されても、新たな居住地域に対応した地域設定及びチャンネル設定が適切に行われるような衛星/地上波共用テレビジョン受信機を提供しようとするものである。
【００２５】
【課題を解決するための手段】
上記解決課題に鑑みて鋭意研究の結果、本発明者は、衛星波放送の地域設定及び地上波放送のチャンネル設定のうちいずれか一方の変更に伴って、ユーザに他方の設定変更も促すことにより、上記のような設定のずれなどの不具合を回避することができることに想到した。
【００２６】
すなわち、本発明は、衛星波放送の地域設定を行う衛星波放送地域設定手段と、地上波放送のチャンネル設定を行う地上波放送チャンネル設定手段と、前記地域設定及びチャンネル設定に関する情報を記憶する記憶手段と、前記記憶手段に記憶された情報に基づいて、前記地域設定及びチャンネル設定のうちいずれか一方の変更を検出すると、他方の設定も変更するように促すよう制御する制御手段と、を備えた衛星/地上波共用テレビジョン受信機を提供するものである。
これにより、衛星波放送の地域設定及び地上波放送のチャンネル設定のうちいずれか一方のみが変更されることによる地域設定のずれの発生を防止することが可能となる。
【００２７】
本発明は、また、衛星波放送の地域設定を行う衛星波放送地域設定手段と、地上波放送のチャンネル設定を行う地上波放送チャンネル設定手段と、前記地域設定及びチャンネル設定に関する情報を記憶する記憶手段と、前記記憶手段に記憶された情報に基づいて、前記地域設定及びチャンネル設定のうちいずれか一方の変更を検出すると、他方の設定を変更することができる設定変更画面を表示するよう制御する制御手段と、を備えた衛星/地上波共用テレビジョン受信機を提供するものである。
これにより、ユーザは、衛星波放送の地域設定及び地上波放送のチャンネル設定のうちいずれか一方を変更したときに、合わせて他方の設定の確認及び変更も行うことが可能となる。
【００２８】
本発明の衛星/地上波共用テレビジョン受信機において、前記制御手段は、さらに、前記地域設定又はチャンネル設定が変更されたときに、変更前の前記地域設定又はチャンネル設定に関する情報を前記記憶手段から削除するよう制御することを特徴とする。
【００２９】
また、本発明の衛星/地上波共用テレビジョン受信機において、前記制御手段は、さらに、前記地域設定又はチャンネル設定が変更されたときに、変更前の前記地域設定又はチャンネル設定に関する情報を前記記憶手段から削除するよう促す画面を表示するよう制御することを特徴とする。
【００３０】
あるいは、前記制御手段は、さらに、前記地域設定又はチャンネル設定が変更されたときに、変更前の前記地域設定又はチャンネル設定に関する情報を前記記憶手段から自動的に削除するよう制御するようにしてもよい。
【００３１】
あるいは、前記制御手段は、さらに、前記記憶手段に記憶されている前記地域設定又はチャンネル設定が所定の容量を越えたときに、変更前の前記地域設定又はチャンネル設定に関する情報を前記記憶手段から削除するよう制御するようにしてもよい。
【００３２】
これにより、前記記憶手段が、変更前の衛星波放送の地域設定及び地上波放送のチャンネル設定に関する情報を蓄積によって、容量オーバーとなるのを防ぐことができる。
【００３３】
この変更前の設定情報の削除は、ユーザの判断により行うようにしてもよい。例えば、ユーザが頻繁に移転する場合には、いくつかの特定の地域の設定情報を衛星/地上波共用テレビジョン受信機に記憶させておくようにすれば、移転後の設定作業がスムーズに行えるようになる。
【００３４】
また、この変更前の設定情報の削除を衛星/地上波共用テレビジョン受信機が自動的に行うようにすれば、ユーザは上記のような煩雑な作業を行わなくともよくなる。
また、本発明の衛星/地上波共用テレビジョン受信機は、前記地域設定及びチャンネル設定を自動で行うことができる自動設定手段をさらに備えていることを特徴とする。
【００３５】
本発明の本発明の衛星/地上波共用テレビジョン受信機において、前記自動設定手段は、現在受信可能な地上波放送の放送電波をサーチすることにより、前記チャンネル設定を自動で行うことを特徴とする。
【００３６】
また、前記自動設定手段は、地上波放送又は衛星波放送において、データ放送等の放送信号に含まれる情報に基づいて、前記チャンネル設定又は前記地域設定を行うことを特徴とする。
これにより、ユーザは煩わしいチャンネル設定及び地域設定の作業を行う必要なく放送を視聴することができる。
【００３７】
本発明の衛星/地上波共用テレビジョン受信機は、特に、地上波アナログ放送、地上波デジタル放送及び衛星デジタル放送のうち少なくとも1つを受信可能であることを特徴とする。
本発明は、また、衛星/地上波共用テレビジョン受信機において、衛星波放送の地域設定又は地上波放送のチャンネル設定を行う方法であって、ユーザに前記地域設定又は前記チャンネル設定のうちいずれか一方の入力を促すステップと、前記入力された地域設定又は前記チャンネル設定が、現在の設定を変更するものであるかどうかを判断するステップと、前記入力された地域設定又は前記チャンネル設定が現在の設定を変更するものである場合には、前記地域設定又は前記チャンネル設定のうち他方の設定を促すステップと、を含んでなる方法を提供するものである。
【００３８】
本発明は、また、衛星/地上波共用テレビジョン受信機において、衛星波放送の地域設定又は地上波放送のチャンネル設定を行う方法であって、ユーザに前記地域設定又は前記チャンネル設定のうちいずれか一方の入力を促すステップと、前記入力された地域設定又は前記チャンネル設定が、現在の設定を変更するものであるかどうかを判断するステップと、前記入力された地域設定又は前記チャンネル設定が現在の設定を変更するものである場合には、前記地域設定又は前記チャンネル設定のうち他方の設定を行うための設定画面を表示し、ユーザの入力を促すステップと、を含んでなる方法を提供するものである。
【００３９】
本発明の方法は、また、前記地域設定又は前記チャンネル設定が変更された場合には、前記衛星/地上波共用テレビジョン受信機に記憶されている変更前の設定情報を削除するステップをさらに含んでいることを特徴とする。
【００４０】
本発明の方法は、また、前記地域設定又は前記チャンネル設定が変更された場合には、前記衛星/地上波共用テレビジョン受信機に記憶されている変更前の設定情報を削除するかどうかユーザに選択させるステップをさらに含んでいることを特徴とする。
【００４１】
本発明は、また、衛星/地上波共用テレビジョン受信機において、衛星波放送の地域設定又は地上波放送のチャンネル設定を行うためのプログラムであって、ユーザに前記地域設定又は前記チャンネル設定のうちいずれか一方の入力を促すステップと、前記入力された地域設定又は前記チャンネル設定が、現在の設定を変更するものであるかどうかを判断するステップと、前記入力された地域設定又は前記チャンネル設定が現在の設定を変更するものである場合には、前記地域設定又は前記チャンネル設定のうち他方の設定を促すステップと、を含んでいることを特徴とするプログラムを提供するものである。
【００４２】
【発明の実施の形態】
以下、添付図面を参照しながら、本発明の実施の形態を詳細に説明する。
図１は、本発明の衛星/地上波共用テレビジョン受信機の構成を概略的に示す機能ブロック図である。尚、後に説明する本発明の各実施形態にかかる衛星/地上波共用テレビジョン受信機は、図１に示す構成を備えている。
【００４３】
図１において、本発明の衛星/地上波共用テレビジョン受信機は、チューナ及び復調部1、TSデコーダ部2、CPU3、メモリ4、AVデコーダ部5、グラフィックス生成部6、混合部7、音声出力部8、映像出力部9、操作機器10及びアンテナ11を備えている。
【００４４】
本発明の衛星/地上波共用テレビジョン受信機では、地上波アナログ放送、地上波デジタル放送及び衛星デジタル放送（BSデジタル放送、CSデジタル放送等）を受信できるように、それぞれの受信に対応したアンテナ、チューナ、復調部、デコード部等を備えているものとする。
【００４５】
例えば、地上デジタル放送を受信するために、チューナ及び復調部1においてOFDM復調回路を備え、また、TSデコーダ部2では復調された放送信号をTS(Transport Stream)信号に変換する手段を備えている。
【００４６】
本発明の衛星/地上波共用テレビジョン受信機のメモリ4は、設定された地域情報を記憶しておくための設定情報格納手段41を有している。設定情報格納手段41は、地上波アナログ放送、地上波デジタル放送及び衛星デジタル放送について、それぞれのチャンネル設定及び地域設定を記憶することができるよう構成されている。
尚、図１に示す衛星/地上波共用テレビジョン受信機のうち、上記以外の構成部分については、従来のものと同様であるので、ここでは説明を省略する。
【００４７】
上記のように構成された衛星/地上波共用テレビジョン受信機において、アンテナ11により受信され地上波アナログ放送、地上波デジタル放送又は衛星デジタル放送は、チューナ及び復調部1及びTSデコーダ部2において放送信号が取り出され、この放送信号は、AVデコーダ部5において映像信号及び音声信号に復元される。映像信号は、混合部7を経て、映像出力部9において出力され、音声信号は音声出力部8に出力されて、放送コンテンツが表示される。
【００４８】
また、本発明の衛星/地上波共用テレビジョン受信機において、ユーザは、操作機器10を操作して各種の設定を行うことができる。操作機器10は、テレビジョン受信機のCPU3に操作コマンドを送信可能なリモートコントローラ等のユーザインターフェイスであり、チャンネル設定、地域設定その他の設定を行うことができるようになっている。
【００４９】
ユーザが操作機器10により地域設定の画面を表示するよう要求すると、CPU3は、メモリ4の設定情報格納手段41に記憶されているチャンネル設定や地域設定などの情報を読み取り、これに基づいてグラフィックス生成部6において設定画面を生成して映像出力部9に出力する。このようにして表示された設定画面において、ユーザは、必要に応じて地域設定を確認したり変更したりすることができる。
【００５０】
次に、本発明の衛星/地上波共用テレビジョン受信機においてチャンネル設定及び地域設定を行う際の動作について、その実施の形態を説明する。
図２は、本発明の衛星/地上波共用テレビジョン受信機におけるチャンネル設定及び地域設定の動作の第1実施形態を示すフロー図である。
図２において、ユーザが衛星デジタル放送の地域設定の入力を行うと（ステップ1）、本発明の衛星/地上波共用テレビジョン受信機は、入力された地域が、現在設定されている地域と同一かどうかを判断する（ステップ2）。同一である場合には、そのまま地域設定の動作を終了する。
【００５１】
上記ステップ2において、現在設定されている地域と異なる地域が入力されたと判断した場合には、映像出力部9において、地上波アナログ/デジタル放送のチャンネル設定を続いて行うように警告を表示して、処理を終了する。この後、ユーザは必要に応じて、地上波アナログ/デジタル放送のチャンネル設定を行うことができる。
【００５２】
本実施形態によれば、衛星デジタル放送の地域設定が変更されたときに、地上波アナログ/デジタル放送のチャンネル設定の変更も合わせて行う必要がある場合があるので、このチャンネル設定をユーザに促すことにより、衛星デジタル放送の地域設定と地上波アナログ/デジタル放送のチャンネル設定との間に設定のずれが生じるのを回避することができる。
【００５３】
図３は、本発明の衛星/地上波共用テレビジョン受信機におけるチャンネル設定及び地域設定の動作の第2実施形態を示すフロー図である。
図３において、ユーザが衛星デジタル放送の地域設定の入力を行うと（ステップ1）、本発明の衛星/地上波共用テレビジョン受信機は、入力された地域が、現在設定されている地域と同一かどうかを判断する（ステップ2）。同一である場合には、そのまま地域設定の動作を終了する。
【００５４】
上記ステップ2において、現在設定されている地域と異なる地域が入力されたと判断した場合には、映像出力部9において、地上波アナログ/デジタル放送のチャンネル設定画面を表示する（ステップ3）。この画面において、ユーザは必要に応じて、地上波アナログ/デジタル放送のチャンネル設定を行うことができる（ステップ４）。
【００５５】
本実施形態によれば、衛星デジタル放送の地域設定が変更された後に、地上波アナログ/デジタル放送のチャンネル設定の変更も合わせて行う必要がある場合があるので、このチャンネル設定画面を自動的に表示して、ユーザにチャンネル設定を行わせることにより、衛星デジタル放送の地域設定と地上波アナログ/デジタル放送のチャンネル設定との間に設定のずれが生じるのを回避することができる。
【００５６】
図４は、本発明の衛星/地上波共用テレビジョン受信機におけるチャンネル設定及び地域設定の動作の第3実施形態を示すフロー図である。
図４において、ユーザが地上波アナログ/デジタル放送のチャンネル設定を実行すると（ステップ1）、本発明の衛星/地上波共用テレビジョン受信機は、設定された地域が、現在設定されている地域と同一かどうかを判断する（ステップ2）。同一である場合には、そのままチャンネル設定の動作を終了する。
【００５７】
上記ステップ2において、現在設定されている地域と異なる地域が設定されたと判断した場合には、映像出力部9において、衛星デジタル放送の地域設定を続いて行うように警告を表示して、処理を終了する。この後、ユーザは必要に応じて、衛星デジタル放送の地域設定を行うことができる。
【００５８】
本実施形態によれば、地上波アナログ/デジタル放送のチャンネル設定が変更されたときに、衛星デジタル放送の地域設定の変更も合わせて行う必要がある場合があるので、この地域設定をユーザに促すことにより、衛星デジタル放送の地域設定と地上波アナログ/デジタル放送のチャンネル設定との間に設定のずれが生じるのを回避することができる。
【００５９】
図５は、本発明の衛星/地上波共用テレビジョン受信機におけるチャンネル設定及び地域設定の動作の第4実施形態を示すフロー図である。
図５において、ユーザが地上波アナログ/デジタル放送のチャンネル設定を実行すると（ステップ1）、本発明の衛星/地上波共用テレビジョン受信機は、設定された地域が、現在設定されている地域と同一かどうかを判断する（ステップ2）。同一である場合には、そのままチャンネル設定の動作を終了する。
【００６０】
上記ステップ2において、現在設定されている地域と異なる地域が設定されたと判断した場合には、映像出力部9において、衛星デジタル放送の地域設定画面を表示する（ステップ3）。この画面において、ユーザは必要に応じて、衛星デジタル放送の地域設定を行うことができる（ステップ4）。
【００６１】
本実施形態によれば、地上波アナログ/デジタル放送のチャンネル設定が変更された後に、衛星デジタル放送の地域設定の変更も合わせて行う必要がある場合があるので、この地域設定画面を自動的に表示して、ユーザに地域設定を行わせることにより、衛星デジタル放送の地域設定と地上波アナログ/デジタル放送のチャンネル設定との間に設定のずれが生じるのを回避することができる。
【００６２】
図６は、本発明の衛星/地上波共用テレビジョン受信機におけるチャンネル設定及び地域設定の動作の第５実施形態を示すフロー図である。
図６において、ユーザが衛星デジタル放送の地域設定の入力を行うと（ステップ1）、本発明の衛星/地上波共用テレビジョン受信機は、入力された地域が、現在設定されている地域と同一かどうかを判断する（ステップ2）。同一である場合には、そのまま地域設定の動作を終了する。
【００６３】
上記ステップ2において、現在設定されている地域と異なる地域が入力されたと判断した場合には、地上波アナログ/デジタル放送のチャンネル設定画面に移行する（ステップ3）。このとき、チャンネル設定画面は、上記ステップ2に続いて自動的に表示されるようにしてもいいし、ユーザの操作によりチャンネル設定画面が表示されるようにしてもいい。このチャンネル設定画面において、ユーザは必要に応じて、地上波アナログ/デジタル放送のチャンネル設定を行うことができる（ステップ4）。
【００６４】
上記ステップ4においてユーザがチャンネル設定を行った後、本発明の衛星/地上波共用テレビジョン受信機は、メモリ4の設定情報格納手段41において記憶されているこれまでの地上波アナログ/デジタル放送のチャンネル設定に関する情報を消去するかどうかをユーザに選択させる（ステップ5）。
【００６５】
これに対して、ユーザが、これまでのチャンネル設定に関する情報を消去することを選択した場合には、CPU3がメモリ4の設定情報格納手段41に対して当該処理を行う（ステップ6）。
【００６６】
本実施形態によれば、衛星デジタル放送の地域設定が変更された後に、地上波アナログ/デジタル放送のチャンネル設定の変更も合わせて行う必要がある場合があるので、このチャンネル設定画面を自動的に表示して、ユーザにチャンネル設定を行わせることにより、衛星デジタル放送の地域設定と地上波アナログ/デジタル放送のチャンネル設定との間に設定のずれが生じるのを回避することができる。
【００６７】
また、地上波アナログ/デジタル放送のチャンネル設定を変更した後に、変更前のチャンネル設定情報を記憶したままでは、衛星/地上波共用テレビジョン受信機のメモリ容量が圧迫されてしまうので、必要に応じて変更前のチャンネル設定情報を消去することをユーザに促すことにより、上記メモリ容量を効率よく使用することができる。
【００６８】
図７は、本発明の衛星/地上波共用テレビジョン受信機におけるチャンネル設定及び地域設定の動作の第6実施形態を示すフロー図である。
図７において、ユーザが衛星デジタル放送の地域設定の入力を行うと（ステップ1）、本発明の衛星/地上波共用テレビジョン受信機は、入力された地域が、現在設定されている地域と同一かどうかを判断する（ステップ2）。同一である場合には、そのまま地域設定の動作を終了する。
【００６９】
上記ステップ2において、現在設定されている地域と異なる地域が入力されたと判断した場合には、地上波アナログ/デジタル放送のチャンネル設定画面に移行する（ステップ3）。このとき、チャンネル設定画面は、上記ステップ2に続いて自動的に表示されるようにしてもいいし、ユーザの操作によりチャンネル設定画面が表示されるようにしてもいい。このチャンネル設定画面において、ユーザは必要に応じて、地上波アナログ/デジタル放送のチャンネル設定を行うことができる（ステップ4）。
【００７０】
上記ステップ4においてユーザがチャンネル設定を行った後、本発明の衛星/地上波共用テレビジョン受信機は、メモリ4の設定情報格納手段41において記憶されているこれまでの地上波アナログ/デジタル放送のチャンネル設定に関する情報を自動的に消去して（ステップ5）、処理を終了する。
【００７１】
本実施形態によれば、衛星デジタル放送の地域設定が変更された後に、地上波アナログ/デジタル放送のチャンネル設定の変更も合わせて行う必要がある場合があるので、このチャンネル設定画面を自動的に表示して、ユーザにチャンネル設定を行わせることにより、衛星デジタル放送の地域設定と地上波アナログ/デジタル放送のチャンネル設定との間に設定のずれが生じるのを回避することができる。
【００７２】
また、地上波アナログ/デジタル放送のチャンネル設定を変更した後に、変更前のチャンネル設定情報を記憶したままでは、衛星/地上波共用テレビジョン受信機のメモリ容量が圧迫されてしまうので、チャンネル設定変更後に、変更前の情報を自動的に消去することにより、上記メモリ容量を効率よく使用することができる。
【００７３】
上記の各実施形態の他にも、本発明の衛星/地上波共用テレビジョン受信機のメモリ容量の管理方法としては、メモリ4の設定情報格納手段41に記憶されている設定情報が所定の容量をオーバーした際に、記憶されている設定情報の中から最も古いものを削除することにより、メモリ容量を所定の容量内に抑えることが可能となる。
【００７４】
尚、本発明の衛星/地上波共用テレビジョン受信機は、上記した実施の形態に限定されるものではない。当業者であれば、本発明の要旨を逸脱しない範囲内において、様々な変更を加ることが可能である。
【００７５】
【発明の効果】
以上、説明したように、本発明によれば、衛星/地上波共用テレビジョン受信機において、衛星デジタル放送の地域設定と地上波アナログ/デジタル放送のチャンネル設定との間に設定のずれが生じるのを防ぐことができるため、ユーザは常に適切なチャンネル設定及び地域設定に基づいた放送を受信することができる。
【００７６】
また、衛星/地上波共用テレビジョン受信機の不揮発性メモリに記憶されるチャンネル設定及び地域設定等の情報を逐次削除することができるため、ユーザが移転等を繰り返して各種設定を頻繁に変更する場合であっても、これらの設定情報の記憶に関しては何ら問題が生じない。
【図面の簡単な説明】
【図１】本発明の衛星/地上波共用テレビジョン受信機の構成を概略的に示す機能ブロック図である。
【図２】本発明の衛星/地上波共用テレビジョン受信機におけるチャンネル設定及び地域設定の動作の第1実施形態を示すフロー図である。
【図３】本発明の衛星/地上波共用テレビジョン受信機におけるチャンネル設定及び地域設定の動作の第2実施形態を示すフロー図である。
【図４】本発明の衛星/地上波共用テレビジョン受信機におけるチャンネル設定及び地域設定の動作の第3実施形態を示すフロー図である。
【図５】本発明の衛星/地上波共用テレビジョン受信機におけるチャンネル設定及び地域設定の動作の第4実施形態を示すフロー図である。
【図６】本発明の衛星/地上波共用テレビジョン受信機におけるチャンネル設定及び地域設定の動作の第5実施形態を示すフロー図である。
【図７】本発明の衛星/地上波共用テレビジョン受信機におけるチャンネル設定及び地域設定の動作の第6実施形態を示すフロー図である。
【図８】従来の地上波アナログ放送のテレビジョン受信機において、自動チャンネル設定機能を使用するための設定画面の表示例を示す図である。
【図９】地上波デジタル放送のテレビジョン受信機において想定されている受信チャンネル設定機能の設定画面の表示例を示す図である。
【図１０】従来の衛星デジタル放送テレビジョン受信機において、地域設定を行うための設定画面の表示例を示す図である。
【符号の説明】
1  復調部
2  デコーダ部
3  CPU
4  メモリ
5  デコーダ部
6  グラフィックス生成部
7  混合部
8  音声出力部
9  映像出力部
10  操作機器
11  アンテナ
41  設定情報格納手段
【図１】
2004201021.tif 000003
【図２】
2004201021.tif 000004
【図３】
2004201021.tif 000005
【図４】
2004201021.tif 000006
【図５】
2004201021.tif 000007
【図６】
2004201021.tif 000008
【図７】
2004201021.tif 000009
【図８】
2004201021.tif 000010
【図９】
2004201021.tif 000011
【図１０】
2004201021.tif 000012